(57)【要約】【課題】　励起マッサージの健康増進効果があるだけでなく、リハビリ運動、血液の循環または減量脂肪取り等方面にも顕著な効果を提供し、違ったマッサージ区域の選択を提供して使用者の異なる需要を満足させることが可能な中または低周波マッサージバンドを提供する。【解決手段】　複数個の導電材１を予めバンド本体の選定された個所に設け、各導電材１の一端は導電シート１１に接続され、その他端は導電ボタン２１に引き接がれ、複数個の導電ボタン２１は集中してバンド１０の選定された個所に接続され、かつ集中して排列された導電ボタン２１と励起コントローラ２の導電ボタン２１とは組み合わせられて対応し、バンド１０は励起コントローラ２と結合することができ、通電時は導電シート１１が人体と接触することを利用して中または低周波の励起が発生する中または低周波マッサージバンドである。【選択図】　　図１
0003100832.tif 000002
【実用新案登録請求の範囲】
【請求項１】
　中または低周波マッサージバンドであって、複数個の導電材（１）が予めバンド（１０）の選定された個所に設けられ、各導電材（１）の一端は導電シート（１１）に接続され、その他端は導電ボタン（１２）に引き接がれ、複数個の導電ボタン（１２）は集中してバンド（１０）の選定された個所に接続され、集中排列された導電ボタン（１２）と励起コントローラ（２）の導電ボタン（２１）とは組み合わせられて対応しバンド（１０）は励起コントローラ（２）と結合され、通電時は導電シート（１１）が人体と接触することを利用して中または低周波の励起を発生し、マッサージによる健康増進の効果が得られることを特徴とする中または低周波マッサージバンド。
【請求項２】
　導電材（１）および導電シート（１１）はミシンによってバンド（１０）に縫い付けられ、かつ導電材１はバンド（１０）の内層に隠れて設けられ、導電シート（１１）は外部に露出して人体に貼り付け接触することを特徴とする請求項１に記載の中または低周波マッサージバンド。
【請求項３】
　バンド（１０）は環状のものであることを特徴とする請求項１に記載の中または低周波マッサージバンド。
【請求項４】
　バンド（１０）の前、後両端は面ファスナ（１３）によって連結され、環状のものに構成されることを特徴とする請求項１に記載の中または低周波マッサージバンド。
【請求項５】
　コントローラ（２）内には中枢ICが設けられ、ICによってパルスの波型を輸送し、インダクタンスおよびキャパシタンスは充放電して高圧電気が発生し、プログラムによってパルス幅を制御し、それによって強、弱程度の違う中または低周波の励起マッサージを発生することを特徴とする請求項１に記載の中または低周波マッサージバンド。
【請求項６】
　コントローラ（２）のパルス幅は１Ｈｚ〜１５０Ｈｚの間であることを特徴とする請求項５に記載の中または低周波マッサージバンド。
【請求項７】
　コントローラ（２）は高圧パルスを提供し、それぞれ複数個の導電ボタン（２１）に接続されて出力端を構成することを特徴とする請求項１に記載の中または低周波マッサージバンド。
【請求項８】
　コントローラ（２）の一側には通電区域を選択制御することができる区域スイッチ（２４）が設けられていることを特徴とする請求項１に記載の中または低周波マッサージバンド。
【請求項９】
　バンド（１０）は腰巻きバンド、腕巻きバンド、膝巻きバンドまたは腹巻きバンド等各種形態のバンドに実施することができることを特徴とする請求項１に記載の中または低周波マッサージバンド。
【請求項１０】
　前記導電シート（１１）が設けられている導電材１の一端は予め一つまたは一つ以上の導電ボタン（１４）に接続され、その導電ボタン（１４）は人体のつぼまたは贅肉が蓄積されてある個所によって延伸分布され、かつ各導電シート（１１）には導電ボタン（１１１）が組み合わせられて設けられ、そのために導電ボタン（１４）は導電シート（１１）に締め付け結合可能なことを特徴とする請求項１に記載の中または低周波マッサージバンド。
【請求項１１】
　各導電ボタン（１４）の外側には絶縁シート（４）が覆い被されていることを特徴とする請求項１０に記載の中または低周波マッサージバンド。
【請求項１２】
　導電ボタン（１４）は一枚または二枚を交差して重ね合わせたシート（１８）を利用して覆い被せられることを特徴とする請求項１１に記載の中または低周波マッサージバンド。
【請求項１３】
　導電材は導電布を採用していることを特徴とする請求項１に記載の中または低周波マッサージバンド。
【考案の詳細な説明】
【技術分野】
【０００１】
　本考案は中または低周波マッサージバンドの設計に関するもので、その主要な構成は励起コントローラをバンドに結合して運用され、マッサージ、減量等健康増進効果を達成するものである。
【背景技術】
【０００２】
　周知の中または低周波健康補助器（またはマッサージ器、治療器と称す）は概して次のものを含む。コントローラは、シリコンゴム電極シートまたはシリコンゴム軟膏（俗称導電ペースト）、またはシリコンゴム電極キャップ等部材から構成され、その製造コストは高く、使用タイミングまたは場所はともに特定の制限を受け、かつ導電効果はよくなく、特に体の使用個所にはシリコンゴム軟膏を塗布しなければならなく、ねばねばしたものが流れて不快を感じさせるだけでなく、かつ洗いにくくなる。この他、導電材または電極シートは硬いものであるため、取り付ける場合に硬くて重いので心地がよくなく、かつ体に密着して隠して使用することができなく、空間を取るだけでなく、体に付随して隠避に使用することができない。
【考案の開示】
【考案が解決しようとする課題】
【０００３】
　よって本考案の目的は、励起マッサージの健康増進効果があるだけでなく、リハビリ運動、血液の循環または減量脂肪取り等方面にも顕著な効果を提供し、また違ったマッサージ区域の選択を提供して使用者の異なる需要を満足させることが可能な中または低周波マッサージバンドを提供することである。
【課題を解決するための手段】
【０００４】
　中または低周波マッサージバンドの設計の一種で、その主要な構成は複数個の導電材を予めバンド本体の選定された個所に設け、各導電材の一端は導電シートに接続され、その他端は導電ボタンに引き接がれ、複数個の導電ボタンは集中してバンドの選定された個所に接続され、かつ集中して排列された導電ボタンと励起コントローラの導電ボタンとは組み合わせられて対応し、バンドは励起コントローラと結合することができ、通電時は導電シートが人体と接触することを利用して中または低周波の励起が発生し、マッサージによる健康増進の効果が得られる。
【考案を実施するための最良の形態】
【０００５】
　図１および図２に示すように、本考案の一実施例による中または低周波マッサージバンドの主要な構成は、複数個の導電材１を予めバンド１０の選定された個所に設け、各導電材１の一端は導電シート１１に接続され、その他端は導電ボタン１２に引き接がれ、複数個の導電ボタン１２は集中してバンド１０の選定された個所に接続し、かつ集中して排列された導電ボタン１２と励起コントローラ２の導電ボタン２１とは組み合わせられて対応し、バンド１０は励起コントローラ２と結合することができ、通電時は導電シート１１が人体と接触することを利用して中または低周波の励起マッサージの健康増進効果が得られる。
【０００６】
　上記導電材１および導電シート１１はミシンによってバンド１０に縫い付けられ、かつ導電材１はバンド１０の内層に隠れて設けられ、導電シート１１は外部に露出して人体と貼り付け接触することができ、またバンド１０は環状のものでもよく、または前、後両端は面ファスナ１３によって連結され、環状のものに構成されてもよい。
【０００７】
　図２に示すように、各導電材１の他端は導電ボタン１２に引き継ぎ連結され、その主要な構成はボタンの半分１２ａ、１２ｂを利用してバンド１０に貫通リベットし、それによって導電材１はバンド１０の内層に隠され、導電ボタン１２は外部に露出し、集中してバンド１０の選定された個所に接続され、励起コントローラ２（図３、図４に示す）に設けられている導電ボタン２１と組み合わせボタンかけに形成される（図５に示す）。
【０００８】
　コントローラ２の主要な構成は、内部に中枢ICが設けられ、ICによってパルスの波型が輸送され、インダクタンスおよびキャパシタンスは充放電して高圧電気が発生し、プログラムによってパルス幅を制御し（約１・・・１５０HZ）、それによって強、弱程度の違うマッサージ感覚が発生し、コントローラ２には複数個のコントロールキー２２があり、それぞれ電流の増強（up）または減少（down）、コントロール時間の設定、電源の入れ切れ（on/off）およびマッサージモードの選択をコントロールし、そのコントローラ２には液晶ディスプレー２３があって操作制御モードを表し、内部の回路（図６および図７に示す）を経て高圧パルスを提供し、それぞれ複数個の導電ボタン２１に接続されて出力端が構成され、またそのコントローラ２の一側には通電区域を選択制御することができる区域スイッチ２４が設けられている。
【０００９】
　本考案の一実施例による中または低周波マッサージバンドの設計の実施は次のものを含む。図１に示す腰巻きバンド、図８に示す腕巻きバンド、図９に示す膝巻きバンドおよび図１０または図１１に示す腹巻きバンド等各種形態のバンドで、それらは形状またはサイズの制限を受けないが、すべてのバンド１０本体に複数個の導電材１が設けられ、その導電材１の両端にはそれぞれ導電シート１１および導電ボタン１２が設けられており、導電材１１は人体３と貼り付け接触することができ、かつ複数個の導電ボタン１２は集中してバンドの同一選定個所に引き接がれ、励起コントローラの導電ボタンと組み合わせて対応すればよく、かつコントローラのコントロールモードによってバンドは体の各違う部分に使用することができ、それは中または低周波の励起マッサージの健康増進効果があるだけでなく、かつリハビリ運動、血気の循環または減量脂肪取り等方面にも顕著な効果がある。
【００１０】
　図１１に示すように、本考案の一実施例による中または低周波マッサージバンド１０の前記導電シート１１に設けられている導電材１の一端は予め一つまたは一つ以上の導電ボタン１４に接続され、その導電ボタン１４は人体のつぼまたは贅肉が蓄積されてある個所によって延伸分布され、各導電ボタン１４は導電シート１１と組み合わせて設けられた導電ボタン１１１に取り付けられて結合することができ、かつ各導電ボタン１４の外側には絶縁シート４が覆い被され（図１２に示す）、使用時は絶縁シート４を開き、導電ボタン１４は違った使用タイミングによって導電シート１１を選定して取り付け、選定して取り付けられた導電シート１１は励起マッサージを発生することができ、取り付けられていない導電シート１１は励起マッサージを発生することができなく、これによって違ったマッサージ区域の選択を提供し、使用者の異なる需要を満足させる。
【００１１】
　図１２に示すように、上記バンド１０に設けられた導電ボタン１４は、普通は一枚または二枚を交差して重ね合わせたシート４によって遮蔽され、導電ボタン１４はシート４内に隠されて外部と接触しない状態を保ち、使用する時にシート４を開ければ導電材１の導電シート１１に取り付け結合することができる。上記シート４は一枚もので設置され、導電ボタン１４を一枚のシート４内に隠し、使用時は一枚のシート４を適当に開けるだけでよい。
　本実施例に採用される導電材１は一般の導電線でもよく、または柔軟で気持ちのいい特性のある導電布を使えばなおさらよい。
【００１２】
　本考案の主要目的は中または低周波マッサージバンドの設計を提供するもので、それは腰巻きバンド、腕巻きバンド、膝巻きバンド等各種バンドに対して改善を行い、そのバンドには複数個の導電材が設けられ、その導電材の両端にはそれぞれ導電シートおよび導電ボタンが設けられており、導電材は人体と貼り付け接触することができ、複数個の導電ボタンは集中してバンドの同一個所に引き接がれ、各導電ボタンの集中した排列形態は励起コントローラの導電ボタンと組み合わせられて対応するので、バンドは励起コントローラと組み合わせ結合することができ、コントローラのコントロールモードによってバンドには中または低周波の励起マッサージの健康増進効果があるだけでなく、かつリハビリ運動、血液の循環または減量脂肪取り等方面にも顕著な効果を提供することができる。
【００１３】
　本考案の次の目的は中または低周波マッサージバンドの設計を提供するもので、前記導電シートが設けられている導電材の一端は予め導電シートに取り付けられる導電ボタンに接続され、かつ各導電ボタンの外側には絶縁シートが覆い被され、使用時は絶縁シートを開き、導電ボタンは違った使用タイミングによって取り付けの導電シートを選定することができ、選定して取り付けられた導電シートは励起マッサージを発生することができ、取り付けられていない導電シートは励起マッサージを発生することができなく、これによって違ったマッサージ区域の選択を提供し、使用者の異なる需要を満足させる。
【図面の簡単な説明】
【００１４】
【図１】本考案の一実施例による中または低周波マッサージバンドが腰巻バンドである状態を示す外観斜視図である。
【図２】本考案の一実施例による中または低周波マッサージバンドの導電材を導電ボタンに引き接いだ状態を示す分解斜視図である。
【図３】本考案の一実施例による中または低周波マッサージバンドのコントローラを示す外観斜視図である。
【図４】本考案の一実施例による中または低周波マッサージバンドのコントローラを示す外観斜視図である。
【図５】本考案の一実施例による中または低周波マッサージバンドのコントローラとバンドが取り付けられた状態を示す断面図である。
【図６】本考案の一実施例による中または低周波マッサージバンドのコントローラの接続を示す概念図である。
【図７】本考案の一実施例による中または低周波マッサージバンドのコントローラの回路図を示す回路図である。
【図８】本考案の一実施例による中または低周波マッサージバンドが腕巻きバンドである状態を示す側面図である。
【図９】本考案の一実施例による中または低周波マッサージバンドが膝巻きバンドである状態を示す側面図である。
【図１０】本考案の一実施例による中または低周波マッサージバンドの各種バンド形態の使用状態を示す外観斜視図である。
【図１１】本考案の一実施例による中または低周波マッサージバンドが腹巻きバンドである状態を示す外観斜視図である。
【図１２】本考案の一実施例による中または低周波マッサージバンドの交差に重ねられる覆いシートがバンドの導電ボタンを遮蔽している状態を示す外観斜視図である。
【符号の説明】
【００１５】
　１　導電材、１０　バンド、１１　導電シート、１２　導電ボタン、２　励起コントローラ、２１　導電ボタン、１３　面ファスナ、１２ａ、１２ｂ、ボタンの半分、２２　コントロールキー、２３　液晶ディスプレー、２４　区域スイッチ、３　人体、１４　導電ボタン、１１１　導電ボタン、４　絶縁シート
【図１】
0003100832.tif 000003
【図２】
0003100832.tif 000004
【図３】
0003100832.tif 000005
【図４】
0003100832.tif 000006
【図５】
0003100832.tif 000007
【図６】
0003100832.tif 000008
【図７】
0003100832.tif 000009
【図８】
0003100832.tif 000010
【図９】
0003100832.tif 000011
【図１０】
0003100832.tif 000012
【図１１】
0003100832.tif 000013
【図１２】
0003100832.tif 000014